(57)【要約】【課題】  ワイドバンド幅を使用したワイヤレスネットワークのレスポンスメカニズムを提供すること。【解決手段】  複数のワイヤレス受信デバイスに係る実施例において、各々、同一のワイドチャネル伝送に対して受信応答を送信する複数のワイヤレス受信デバイスが、ワイドチャネルを形成する異なるナローチャネルを介して、自身の受信応答を同時に送信する。これによって、ワイドチャネルをデコードできない古いデバイスは、これらの受信応答が、いつ送信されるかを判定することができる。【選択図】図６
2011259432.tif 000002
【特許請求の範囲】
【請求項１】
ワイヤレスネットワークにおいて通信するデバイスであって、当該デバイスは、プロセッサ、メモリ、送受信器を有し、当該デバイスは、
ワイヤレス通信ネットワークのワイドチャネルを介して、第１のフレームを通信し、前記第１のフレームは、伝送に対する受信通知を通信するための第１のナローチャネルを特定する情報を含み、かつ、
前記第１のナローチャネルを介して、前記受信通知を通信し、
前記ワイドチャネルは、前記第１のナローチャネル、及び少なくとも１つの他のナローチャネルを含む、
デバイス。
【請求項２】
前記伝送は、前記第１のフレームを含み、
当該デバイスは、前記第１のフレームをダウンリンク通信で送信することによって、前記第１のフレームを通信し、かつ、
当該デバイスは、アップリンク通信で前記受信通知を受信することによって、前記受信通知を通信する、
請求項１記載のデバイス。
【請求項３】
前記伝送は、前記第１のフレームを含み、
当該デバイスは、ダウンリンク通信で前記第１のフレームを受信することによって、前記第１のフレームを通信し、かつ、
当該デバイスは、アップリンク通信で、前記受信通知を送信することによって、前記受信通知を通信する、
請求項１記載のデバイス。
【請求項４】
当該デバイスは、第１のダウンリンク通信で、前記第１のフレームを送信することによって、前記第１のフレームを通信し、
前記伝送は、前記第１のフレームの通信の後で、かつ、前記受信通知の通信の前で、アップリンク通信で行われ、かつ、
当該デバイスは、第２のダウンリンク通信で、前記受信通知を送信することによって、前記受信通知を通信する、
請求項１記載のデバイス。
【請求項５】
前記第１のフレームは、送信許可フレームを含む、
請求項４記載のデバイス。
【請求項６】
当該デバイスは、第１のダウンリンク通信で、前記第１のフレームを受信することによって、前記第１のフレームを通信し、
前記伝送は、前記第１のフレームの通信の後で、かつ、前記受信通知の通信の前に、アップリンク通信で行われ、かつ、
当該デバイスは、第２のダウンリンク通信で、前記受信通知を受信することによって、前記受信通知を通信する、
請求項１記載のデバイス。
【請求項７】
前記第１のフレームは、送信許可フレームを含む、
請求項６記載のデバイス。
【請求項８】
前記ナローチャネルの各々は、２０メガヘルツのバンド幅を有し、かつ、前記ワイドチャネルは、２０メガヘルツの整数倍のバンド幅を有する、
請求項１記載のデバイス。
【請求項９】
ワイヤレス通信ネットワークにおける通信方法であって、
ワイヤレス通信ネットワークにおけるワイドチャネルを介して、第１のフレームを通信するステップであって、前記第１のフレームは、伝送に対する受信通知を通信するための第１のナローチャネルを特定する情報を含む、ステップと、
前記第１のナローチャネルを介して、前記受信通知を通信するステップと、
を有し、
前記ワイドチャネルは、前記第１のナローチャネル、及び少なくとも１つの他のナローチャネルを含む、
方法。
【請求項１０】
前記伝送は、前記第１のフレームを含み、
前記第１のフレームを通信するステップは、ダウンリンク通信で、前記第１のフレームを送信するステップを含み、かつ、
前記受信通知を通信するステップは、アップリンク通信で、前記受信通知を受信するステップを含む、
請求項９記載の方法。
【請求項１１】
前記伝送は、前記第１のフレームを含み、
前記第１のフレームを通信するステップは、ダウンリンク通信で、前記第１のフレームを受信するステップを含み、かつ、
前記受信通知を通信するステップは、アップリンク通信で、前記受信通知を送信するステップを含む、
請求項９記載の方法。
【請求項１２】
前記第１のフレームを通信するステップは、第１のダウンリンク通信で、前記第１のフレームを送信するステップを含み、
前記伝送は、前記第１のフレームの通信の後で、かつ、前記受信通知の通信の前で、アップリンク通信で行われ、かつ、
前記受信通知を通信するステップは、第２のダウンリンク通信で、前記受信通知を送信するステップを含む、
請求項９記載の方法。
【請求項１３】
前記第１のフレームは、送信許可フレームを含む、
請求項１２記載の方法。
【請求項１４】
前記第１のフレームを通信するステップは、第１のダウンリンク通信で、前記第１のフレームを受信するステップを含み、
前記伝送は、前記第１のフレームの通信の後で、かつ、前記受信通知の通信の前で、アップリンク通信で行われ、かつ、
前記受信通知を通信するステップは、前記受信通知を受信するステップを含む、
請求項９記載の方法。
【請求項１５】
前記第１のフレームは、送信許可フレームを含む、
請求項１４記載の方法。
【請求項１６】
前記ナローチャネルの各々は、２０メガヘルツのバンド幅を有し、かつ、前記ワイドチャネルは、２０メガヘルツの整数倍のバンド幅を有する、
請求項９記載の方法。
【請求項１７】
ワイヤレス通信ネットワークにおけるワイドチャネルを介して、第１のフレームを通信するステップであって、前記第１のフレームは、伝送に対する受信通知を通信するための第１のナローチャネルを特定する情報を含む、ステップと、
前記第１のナローチャネルを介して、前記受信通知を通信するステップと、
を１つ以上のプロセッサに実行させる命令を有するプログラムであって、
前記ワイドチャネルは、前記第１のナローチャネル、及び少なくとも１つの他のナローチャネルを含む、
プログラム。
【請求項１８】
前記伝送は、前記第１のフレームを含み、
前記第１のフレームを通信するステップは、ダウンリンク通信で、前記第１のフレームを送信するステップを含み、かつ、
前記受信通知を通信するステップは、アップリンク通信で、前記受信通知を受信するステップを含む、
請求項１７記載のプログラム。
【請求項１９】
前記伝送は、前記第１のフレームを含み、
前記第１のフレームを通信するステップは、ダウンリンク通信で、前記第１のフレームを受信するステップを含み、かつ、
前記受信通知を通信するステップは、アップリンク通信で、前記受信通知を送信するステップを含む、
請求項１７記載のプログラム。
【請求項２０】
前記第１のフレームを通信するステップは、第１のダウンリンク通信で、前記第１のフレームを送信するステップを含み、
前記伝送は、前記第１のフレームの通信の後で、かつ、前記受信通知の通信の前で、アップリンク通信で行われ、かつ、
前記受信通知を通信するステップは、第２のダウンリンク通信で、前記受信通知を送信するステップを含む、
請求項１７記載のプログラム。
【請求項２１】
前記第１のフレームは、送信許可フレームを含む、
請求項２０記載のプログラム。
【請求項２２】
前記第１のフレームを通信するステップは、第１のダウンリンク通信で、前記第１のフレームを受信するステップを含み、
前記伝送は、前記第１のフレームの通信の後で、かつ、前記受信通知の通信の前で、アップリンク通信で行われ、かつ、
前記受信通知を通信するステップは、前記受信通知を受信するステップを含む、
請求項１７記載のプログラム。
【請求項２３】
前記第１のフレームは、送信許可フレームを含む、
請求項２２記載のプログラム。
【請求項２４】
前記ナローチャネルの各々は、２０メガヘルツのバンド幅を有し、かつ、前記ワイドチャネルは、２０メガヘルツの整数倍のバンド幅を有する、
請求項１７記載のプログラム。
【発明の詳細な説明】
【技術分野】
【０００１】
本発明は、ワイドバンド幅を使用したワイヤレスネットワークのレスポンスメカニズムに関する。
【背景技術】
【０００２】
４０、８０、又は１６０ＭＨｚバンド幅のチャネルで、ワイヤレスネットワークコントローラによって送信されたデータパケットは、２０ＭＨｚチャネルでのみ通信できるレガシーモバイルデバイスでは、適切に受信することができない。このレガシーデバイスは、このような広いチャネル伝送を受信するようになっておらず、この伝送方法によるデータをデコードすることができない。そして、このデバイスは、意図されたレシーバが受信通知（ａｃｋｎｏｗｌｅｄｇｅｍｅｎｔ）の送信をいつ終えるのかも知ることができない。
【発明の概要】
【発明が解決しようとする課題】
【０００３】
このレガシーデバイスに待ちを強いることに対する最悪のケースの遅延を回避するために、現在の技術においては、各々の２０ＭＨｚチャネルにおいて並行して受信通知を送信する。これによって、レガシーデバイスはこれらの信号を受信できる。しかしながら、このことによって、新たな課題が発生する。もし、ワイドチャネル伝送によって複数のデバイスがアドレス指定された場合、直列的に各々が別個に自身の受信通知を送信しなければならない。これは、レガシーデバイスが送信をするのに長い時間待たされることとなる。したがって、ネットワーク全体の容量を低下させることとなる。
【０００４】
本発明の一部の実施例は、以下の記載及び図面を参照することにより、より良く理解できる。図面は、実施例の例示のために用いられる。
【課題を解決するための手段】
【０００５】
本装置は、ワイヤレスネットワークにおいて通信するデバイスであって、当該デバイスは、プロセッサ、メモリ、送受信器を有し、当該デバイスは、ワイヤレス通信ネットワークのワイドチャネルを介して、第１のフレームを通信し、前記第１のフレームは、伝送に対する受信通知を通信するための第１のナローチャネルを特定する情報を含み、かつ、前記第１のナローチャネルを介して、前記受信通知を通信し、前記ワイドチャネルは、前記第１のナローチャネル、及び少なくとも１つの他のナローチャネルを含む、デバイスを提供する。
【図面の簡単な説明】
【０００６】
【図１】本発明の実施例に従った、ワイヤレス通信ネットワークを示す図である。
【図２】本発明の実施例に従った、通信シーケンスを示す図である。
【図３】本発明の実施例に従った、レスポンスのためのチャネル割当を示す図である。
【図４】本発明の実施例に従った、成功した通信シーケンスを示す図である。
【図５】本発明の実施例に従った、部分的に不成功の通信シーケンスを示す図である。
【図６】本発明の実施例に従った、ワイヤレス通信シーケンスの方法のフローを示す図である。
【発明を実施するための形態】
【０００７】
以下の記載において、様々な詳細が記載されている。なお、本発明の実施例は、これらの具体的な詳細なしで、実施することができる。他の例において、本記載の理解をかえって曖昧にしないために、知られている回路、構成、技術は、詳細には説明していない。
【０００８】
本明細書における「一実施例」、「実施例の例示」、「様々な実施例」等の記載は、そこで説明されている発明の実施例が、特徴、構成、又は特質を含むことを意味する。しかしながら、全ての実施例が特定の特徴、構成、又は特質を有さなければならいというわけではない。さらに、実施例に対して記載された特徴のうち、ある実施例では、幾つかの、あるいは、全ての、特徴を有する。あるいは、これらを有さない場合もあり得る。
【０００９】
以下の記載及び請求の範囲において、「接続された（ｃｏｕｐｌｅｄ）」及び「結合された（ｃｏｎｎｅｃｔｅｄ）」という用語およびその活用形が用いられる。これらの語は、同義語として用いられるものではない点を理解すべきである。特定の実施例において「結合された（ｃｏｎｎｅｃｔｅｄ）」という語は、複数の要素が互いに物理的に又は電気的に接触していることを意味する。「接続された（ｃｏｕｐｌｅｄ）」は、複数の要素が相互に協働し又はインターラクトしていればよく、物理的又は電気的に相互に作用し合っているか否かは問わない。
【００１０】
そして、特別にことわり書きがないかぎり、「第１」、「第２」、「第３」等は、共通の要素を表す。単に、同様の要素を異なる例として示したに過ぎない。したがって、そのように記載された要素は、時間的、空間的、ランキング等に関して、所定の順序でなければならないわけではない。
【００１１】
様々な本発明の実施例が、ハードウエア、ファームウエア及びソフトウエアの一定の又は様々な組合せによって、インプリメントされ得る。本発明は、コンピュータ可読の媒体に格納された命令によってインプリメントされてもよい。この命令は、１つ以上のプロセッサによって読み取られ、実行される。そして、本明細書に記載された処理を実行する。コンピュータ可読の媒体には、１つ以上のコンピュータによって読み取ることができる形態の情報を格納するためのあらゆるメカニズムが含まれる。例えば、コンピュータ可読の媒体としては、実体として存在する格納媒体であり、ＲＯＭ、ＲＡＭ、磁気ディスクメディア、光記録メディア、フラッシュメモリデバイス等がある。なお、媒体はこれらに限られるものではない。
【００１２】
「ワイヤレス」の語は、個体でない媒体を介して変調された電磁波を利用してデータを通信する回路、デバイス、システム、方法、技術、通信チャネル等を記述する際に用いられる。この語は、関連するデバイスが有線を用いないということを意味するものではない。ワイヤレスデバイスは、少なくともアンテナ、少なくとも１つの送受信器（ｒａｄｉｏ）、少なくとも１つのメモリ、少なくとも１つのプロセッサを含む。この送受信機は、アンテナを介して信号を送信する。信号は、データを含んでいる。そして、送受信器は、アンテナを介して信号を受信する。信号は、データを含んでいる。プロセッサは、送受信されるべきデータを処理する。プロセッサは、送受信されない他のデータを処理してもよい。
【００１３】
本明細書で用いられる、「ネットワークコントローラ」は、ネットワーク上の他のデバイスによるワイヤレス通信の少なくとも一部をスケジューリングし、制御するデバイスを意味する。ネットワークコントローラは、基地局（ＢＳ：ｂａｓｅ  ｓｔａｔｉｏｎ）、アクセスポイント（ＡＰ：ａｃｃｅｓｓ  ｐｏｉｎｔ）、セントラルポイント（ＣＰ：ｃｅｎｔｒａｌ  ｐｏｉｎｔ）、又はその他のネットワークコントローラの機能を示す表現でも一般に知られている。
【００１４】
本明細書において、用いられている「モバイルデバイス」とは、そのワイヤレス通信の少なくとも一部が、ネットワークコントローラによってスケジューリングされ、かつ制御されている機器を意味する。モバイルデバイス（ＭＤ）は、モバイルステーション（ＭＳ）、ＳＴＡ、加入ステーション、ユーザ機器（ＵＥ）、あるいは、その他のモバイルデバイスの機能を示す表現でも一般に知られている。モバイルデバイスは、通信中において移動してもよい。しかしながら、移動することが必須ではない。
【００１５】
本明細書に記載されている「チャネル」は、様々なデバイスが無線で通信することが可能な周波数スペクトル（ワイヤレス通信に対して規定された周波数レンジ）を包含する。「ワイド」チャネルとは、その周波数スペクトルが、複数の隣接する「ナロー」チャネルの周波数スペクトルをカバーするものを言う。この点に関して、形容詞「ワイド」及び「ナロー」は、相互に定義され得るものであって、絶対的な測定の基準によって決められるものではない。ある実施例において、各々のナローチャネルが２０ＭＨｚのバンド幅を有する。しかしながら、他の実施例においては、別のバンド幅のナローチャネルに基づくものであってもよい。
【００１６】
ある実施例において、複数のワイヤレス通信デバイスが、各々、受信通知を、同一のワイドチャネルに送信するということは、同時にワイドチャネルを形成する異なる一つずつのナローチャネルを介して受信通知を送信することとなる。各々のデバイスが、受信通知を送信するために、どのナローチャネルを用いるかのメカニズムについても記載されている。このプロセスは、ワイドチャネルをデコードすることができない古いモバイルデバイスが、受信通知をデコードすることを可能とする。この受信通知は、これらの古いモバイルデバイスに対するものではないが、「漏れ聞き（ｏｖｅｒｈｅａｒ）」かつ、受信通知をデコードすることが可能となることによって、古いデバイスは、ナローチャネルがいつ利用可能となるかを予測することが可能となる。この受信通知を、従来のように直列ではなく、同時に送信することによって、この受信通知のプロセスは、より早く完了し、他のネットワーク通信のための余分な時間を開放することができる。
【実施例】
【００１７】
図１は、本発明の実施例に従った、ワイヤレス通信ネットワークを示している。図示されたネットワークにおいて、ネットワークコントローラ（この場合には、アクセスポイントＡＰ）は、６つのモバイルデバイス（ＭＤ）と通信する。ＭＤ−１１、ＭＤ−１２、ＭＤ−１３、及びＭＤ−１４は、各々最新の技術に基づくデバイスであり、ワイドチャネルを介してＡＰと通信可能である。ＭＤ−１、ＭＤ−２、及びＭＤ−３は、レガシーデバイスであり、ナローチャネルを介してのみ通信が可能である。そして、ワイドチャネル通信を適切にデコードすることはできない。単純化するために、各々のデバイスは、ネットワークにおいて他のデバイスの各々からの伝送を聞くことができると仮定する（すなわち、受信された信号は、信号が有効なデータとしてデコードされるか否かに関わらず、適切に受信できる程度に強い）。なお、現実には、一部のＭＤは、他のＭＤの領域外に存在することはあり得る。各々のデバイス（ＡＰ及び全てのＭＤ）は、ワイヤレス通信を行うための、プロセッサ、メモリ、送受信機、及び１つ以上のアンテナを有する。
【００１８】
図２は、本発明の実施例に従った通信シーケンスを示している。図２において、垂直の軸は、周波数を意味する。ここでは、４つの連続した２０ＭＨｚのナローチャネルが同一のバンド幅を占有しており、８０ＭＨｚのワイドチャネルを形成している。水平の軸は、時間を表している。ここでは、ＡＰが、ワイドチャネルを介して、ダウンリンク通信をＭＤに送信している。そして、宛先のＭＤ（１１ないし１４）の各々は、アップリンク受信通知によって応答している。後述の他の実施例において、ＡＰは、複数のＭＤをポーリングする。ＭＤの各々は、それぞれのアップリンク伝送によって応答する。そして、ＡＰは、図示されたナローチャネルを介してアップリンク伝送により受信通知を送信する。両者のケース共に、ダウンリンク伝送は、各々のＭＤが関連する受信通知のために用いるナローチャネルの受信通知がアップリンク又はダウンリンク通信のいずれに対するものであるかを定義する。なお、本明細書において用いられているように、また、産業界のプラクティスに従って、「ダウンリンク」の語は、ＡＰから１つ以上のＭＤに送信される通信を意味する。そして、「アップリンク」は、ＭＤからＡＰに送信される通信を意味する。また、「アップリンク」は、複数のＭＤからの通信でありＡＰによって同時に受信される通信をも意味する。
【００１９】
ネットワークは、新しいデバイスと古いデバイスの混合である。ある機器は、ワイドチャネル及びナローチャネルの両方を介して作動する。そして他の機器は、ナローチャネルのみを介して作動する。更に、時刻によって、伝送に割り当てられる具体的なワイドチャネル及びナローチャネルは変化する。このような動的な状況に適応するために、伝送は、プレアンブル−Ａによって開始される。そして、プレアンブル−Ａは、ワイドチャネルを形成するナローチャネルの各々において、同時に送信される。プレアンブル−Ａは、これがワイドチャネル通信であることを特定する。プレアンブル−Ａは、ワイドチャネル準拠のデバイスがワイドチャネルを介して送信されるプレアンブル−Ｂをどのようにデコードするかに関する十分な情報を包含する。ワイドチャネルをデコードできないデバイスは、プレアンブル−Ａから、プレアンブル−Ｂがデコードできないことを知り、それを試みてリソースを無駄にすることを回避する。
【００２０】
プレアンブル−Ｂと同期した後に、これを行うことができるデバイスは、ワイドチャネルを介して送信される伝送の一部を受信しデコードすることを開始するデータ部分は、フレームをどのようにデコードするかに関する情報と、フレームにより目的のデバイスに伝達されるコンテンツを含むフレームボディとを有してもよい。ダウンリンク伝送において、一部の例では、単純に複数の宛先アドレスをヘッダに含むことによって、同一のボディが各々のＭＤに送信される。なお、他の例においては、異なるデータが、以下のような様々な方式で、各々の宛先のＭＤに転送される。
１）異なる時刻に各々のＭＤにコンテンツを送信する、
２）異なるサブチャネルを介して各々のＭＤにコンテンツを送信する、
３）異なるコーディング方式を用いてコンテンツを送信する（例えば、マルチユーザ・マルチプルインプット・マルチプルアウトプット、すなわちＭＵ  ＭＩＭＯを用いて）
４）等、
であるが、これらに限定されるものではない。
【００２１】
ＡＰからのこの伝送が完了した後、ワイドチャネル伝送によりアドレスされた各々のＭＤは、肯定応答（ＡＣＫ）によって応答し、成功裏にそれぞれのデータを受信しデコードしたことを示す。あるいは、否定応答（ＮＡＫ：ｎｏｎ−ａｃｋｎｏｗｌｅｄｇｅｍｅｎｔ）によって、受信されたものが適切にデコードされなかったことを示す。ここに示された例では、ＡＣＫを前提としている。なお、同様の考え方がＮＡＫに対しても適用できる。ある例では、ブロック受信通知（ＢＡ：ｂｌｏｃｋ  ａｃｋｎｏｗｌｅｄｇｅｍｅｎｔ）が用いられる。これにより、デバイスは、複数の伝送の受信通知を単一の応答によって行ってもよい。
【００２２】
上述したように、ワイドチャネル伝送によってアドレス指定された各々のＭＤは、図２に示したように、ＡＣＫによる応答を、異なるナローチャネルを介して行ってもよい。実施例は、４つのナローチャネルで構成されるワイドチャネルを示している。この４つのチャネルを介して、４つのＭＤ（ＭＤ−１１、ＭＤ−１２、ＭＤ−１３、ＭＤ−１４）が応答している。一般的な規則として、同時にこのように応答できるデバイスの最大数は、ワイドチャネルを構成するナローチャネルの数と等しい。利用できるナローチャネルのよりも多くのＤＭがある場合には、他の同時の受信通知のセットがスケジューリングされ、図示された最初のセットの後に、これが同じナローチャネルを介して行われる
上述の記載は、ＡＰからのワイドチャネル伝送に応答して、複数のＭＤがＡＣＫを送信すると仮定したが、ＡＰが複数のＭＤからの伝送に受信通知を行う場合にも、同様の考え方が利用できる。例えば、ＭＤからの伝送の受信に応答して、ＡＰは、異なるＡＣＫを異なるナローチャネルを介して同時に送信してもよい。なお、ＡＣＫの送信の方向に関わらず、全体のプロセスは、同様である。例えば、ＡＰは、各々のＭＤに対して、ＡＣＫを通信するためのナローチャネルをＭＤに知らせてもよい。そして、ＡＣＫは、ＡＰからＭＤ、あるいはＭＤからＡＰへ、適切な方向にナローチャネルを介して送信される。ＭＤからの、あるいはＭＤへの、このような複数のＡＣＫは、ワイドチャネルを構成するナローチャネルを介して、このように、同時にスケジューリングされてもよい。
【００２３】
ネットワーク通信は、典型的に動的であるため、各々のＭＤは、各自のＡＣＫに対してどのナローチャネルを用いるかについて知らされる必要がある。この割当は、ダウンリンク伝送のヘッダ又はペイロードによって、ＡＰからＭＤに通信されてもよい。ある実施例において、各々のダウンリンク伝送は、その伝送のみに適用するＡＣＫに対するチャネル割当を含む。他の実施例では、チャネル割当を、複数のダウンリンク伝送に有効としてもよい。そして、最初のダウンリンク伝送においてのみ、これを通信する必要があるとしてもよい。このチャネル割当の期間は、事前に定義されていてもよい。あるいは、チャネル割当の際に特定してもよい。あるいは、新しい割当によって変更されるまで、割当を継続するように想定してもよい。チャネル割当の通信をするために、様々なプロトコルを利用することができる。
【００２４】
図３は、本発明の実施例に従った、応答のためのチャネル割当を規定するフォーマットを示す。図示されたフォーマットは、例示のみのためのものであり、利用可能なフォーマットを限定するためのものではない。図示されたフォーマットは、ＭＡＣ（ｓｔａｎｄａｒｄ  ｍｅｄｉｕｍ  ａｃｃｅｓｓ  ｃｏｎｔｒｏｌ）フレーム標準フォーマットに準拠している。
【００２５】
図示した実施例において、Ｆｒａｍｅ  Ｃｏｎｔｒｏｌ、Ｄｕｒａｔｉｏｎ、ＲＡ（レシーバ・アドレス）、ＴＡ（トランスミッタ・アドレス）、及びＦＣＳ  （フレーム・チェック・シーケンス）は、ＭＡＣフレームの標準のフィールドと同じである。そして、図において、更なる定義はなされていない。なお、ある実施例においてはＦｒａｍｅ  Ｃｏｎｔｒｏｌフィールドは、これを送信許可（ＣＴＸ：ｃｌｅａｒ−ｔｏ−ｔｒａｎｓｍｉｔ）フレームとして定義してもよい。更に別の実施例においては、チャネル割当を通信するために、全く異なるフォーマットが用いられてもよい。
【００２６】
Ｔｏｔａｌ  ＃  ｏｆ  Ｓｔｒｅａｍｓフィールドは、このＡＰがこの通信においてサポートできるストリームのトータルの数を示す。このトータルは、ＭＤのトータル数よりも多くてもよい。なぜなら、単一のＭＤは、１つ以上の空間的ストリームを同時にサポートし得るからである。Ｍａｘ  Ｄｕｒａｔｉｏｎフィールドは、時間に関して、各々のパケットの、許容される最大の長さを示す。
【００２７】
図３におけるその他のフィールドは、上述のチャネル割当を示すために使用されてもよい。この実施例では、３つのフィールドが各々のＭＤに用いられている。アドレスＩＤ（ＡＩＤ）フィールドは、どのＭＤが記述されているかを示す。Ｍａｘ  ＭＣＳ  ｆｏｒ  ＡＩＤ  フィールドは、示されたＭＤが用いてもよい最も高い変調コーディング方式（ＭＣＳ：ｍｏｄｕｌａｔｉｏｎ  ｃｏｄｉｎｇ  ｓｃｈｅｍｅ）を示す。なお、より低いＭＣＳを用いてもよい。Ｃｈａｎｎｅｌフィールドは、示されたＭＤが応答のために、どのナローチャネルを用いるべきかを示す。この３つフィールドのセットは、このフレームに必要な数だけ繰り返される（例えば「ｎ」回）。これによって、複数のＭＤに対してチャネル割当が記述できる。別の実施例において、他の手段によって、ＭＣＳが予め定められている場合には、このＭＣＳフィールドは削除してもよい。そして、各々のＭＤに対して２つのフィールドのセットを残してもよい。
【００２８】
チャネル番号は、Ｃｈａｎｎｅｌフィールドにおいて、様々な方法で示され得る。ある実施例においては、チャネル番号を示すためにビットマップフォーマットが用いられてもよい。例えば、８ビットフィールドにおいて、各々のビットによって、最大８チャネルの異なる１つをマッピングすることができる。特定のビットが「１」の値であることは、対応するチャネルが割り当てられていることを示す。そして、「０」が残りの７ビットに示される。もちろん、逆の表現も可能である。他の実施例において、このフィールドの値が直接チャネル番号を示してもよい。更に他の実施例では、フィールドに対応する各々のユニークな値を用いて、異なる予め定められたチャネルをマッピングしてもよい。
【００２９】
図４は、本発明の実施例に従って、成功した通信シーケンスを示している。図示されたシーケンスにおいて、ＡＰは、ＣＴＸにより又は他の送信のインビテーションにより、ワイドチャネルを介して複数のＭＤをポーリングする。ＣＴＸは、各々のＭＤに対するチャネル割当を含み、各々のＭＤに対して最終的なＡＣＫのために用いられるナローチャネルを定義している。この例において、４つのＭＤ（ＭＤ１１ないしＭＤ１４）が、同一のアップリンク期間にそれらのデータをＡＰに送信することによって、ＣＴＸに対して応答している。このアップリンクに対して、様々な規約及びプロトコルが用いられ得る。なお、この実施例では、これらのデバイスは、ワイドチャネルを介して、マルチユーザ・マルチインプット・マルチアウトプット規約に従っている。全ての４つのＭＤからのアップリンク伝送を成功裏に受信しデコードした後、ＡＰは、同時に４つのＡＣＫを、ナローチャネルを介して、送信する。各々のＡＣＫは、ＣＴＸにおいてＭＤに対して示されたナローチャネルを介してそれぞれのＭＤに送信される
図５は、本発明の実施例に従って、部分的に成功した通信シーケンスを示す。この実施例は、図４と類似している。ただし、この例では、ＭＤ−１３からのアップリンク伝送は成功裏に受信されていない。これは、多くのエラーを含んでおり、成功裏に再構築されなかった。受信された信号は、解読できなかったか、その他の理由で不成功となった。なお、理由の如何に関わらず、ＡＰは、ＭＤ−１３からのアップリンク伝送の受信の成功を示すＡＣＫを送信することができない。ＭＤ−１１、１２、及び１４からの伝送は、成功裏に受信され、かつ、図４の方式に従って、ＡＣＫがこれらのデバイスに送信され得る。しかしながら、ＡＰは、ＭＤ−１３に対して、アップリンク伝送が不成功となったことを知らせなければならない。これによって、メッセージを再送信する手順が開始されるか、又は、この失敗を処理する。
【００３０】
ある実施例では、ＡＰは、伝送が失敗したことを示すために、ＮＡＫをＭＤ−１３に送信する。なお、他の実施例においては、ＮＡＫは、適切な選択でないこともあり、他の手段が模索される。例えば、同じメッセージを送るために、誤ったＡＣＫをＭＤ−１３に送ってもよい。この場合、以前にＭＤ−１３に割り当てられたナローチャネルを介して、ＭＤ−１２に対するＡＣＫが、ＭＤ−１３に送信される。ＭＤ−１３が、ＭＤ−１２宛のＡＣＫを受信した場合、ＭＤ−１３は、自分の伝送が失敗したことを示すと解釈してもよい。そして、是正の手段の実行を開始することができる。ある実施例においては、失敗を示すために、成功裏に受信された伝送のＡＣＫの複製を、誤ったデバイスに送ってもよい。また、他の実施例においては、誤った宛先のＡＣＫが、いずれかのＭＤで伝送が成功裏に受信されたことを示すか否かは関知しなくてもよい。この場合には、誤った宛先のＡＣＫを単純に全てのＭＤに送ることによって、全てのＭＤは、それらの伝送が失敗したことを知らされ得る。
【００３１】
図６は、本発明の実施例に従ったワイヤレス通信シーケンスの方法のフローを示す。図示した実施例において、ＡＰによってなされるオペレーションは、左に示されており、ＭＤによってなされるオペレーションは、右に示されている。６１０において、ＡＰは、ワイドチャネルを介して、複数のＭＤに対してダウンリンクフレームを送信する。このフレームには、ＭＤの各々が、その後の受信通知を通信するために、どのナローチャネルを使用するかを定義する情報が含まれている。６１５において、ダウンリンクフレームにおいてアドレス指定されたＭＤのうちの１つが、それを受け取る。複数のＭＤがダウンリンクフレームを受信し、図示したプロセスを実行してもよいが、１つのＭＤだけが記載されている。
【００３２】
６２５において、ＭＤは、それに割り当てられたナローチャネルの値を保存してもよい。これによって、後の通信において、情報を用いることができる。この時点で、フローは、二つのいずれかのプロセスに分かれる。もし、割り当てられたチャネルがアップリンクＡＣＫに使用することになっている場合、６３５において、ＭＤは、割り当てられたチャネルを介してＡＣＫを送信してもよい。ＡＰは、６４０においてそれを受信する。なお、割り当てられたチャネルが後のダウンリンクＡＣＫに使用することになっている場合、６４５−６５０−６６０−６６５のプロセスが続く。
【００３３】
ダウンリンクＡＣＫの場合においては、６４５において、ＭＤは１つ以上のアップリンクフレームをＡＰに送信する。あるオペレーションにおいては、これは、ＡＰからの送信許可の応答としての処理となる。もし、６５０において、ＡＰが成功裏にアップリンクフレームを受信した場合には、６１０においてダウンリンク伝送によってこのＭＤに対して特定されたナローチャネルを用いて、６６０において、それはＡＣＫをＭＤに送信する。６６５において、ＭＤは、ＡＣＫを割り当てられたチャネルを介して受信する。
【００３４】
上述の説明は、例示を目的としており、限定することを目的とするものではない。当業者であれば、バリエーションを考えつくであろう。それらのバリエーションは、様々な実施例に包含されることとなる。本発明は、以下の請求項によってのみ限定される。
【符号の説明】
【００３５】
ＭＤ  モバイルデバイス
ＡＰ  アクセスポイント
【図１】
2011259432.tif 000003
【図２】
2011259432.tif 000004
【図３】
2011259432.tif 000005
【図４】
2011259432.tif 000006
【図５】
2011259432.tif 000007
【図６】
2011259432.tif 000008